【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
複数のタイミングのそれぞれで被検体の互いに異なる位置に光が照射されることにより発生した音響波を受信して複数のトランスデューサから出力された前記複数のタイミングに対応する複数の受信信号群に基づいて、前記被検体内の注目領域における被検体情報を取得する処理装置であって、
前記複数のタイミングのそれぞれについて、前記注目領域に照射された光量を取得し、
前記複数のタイミングのそれぞれについて、前記複数のトランスデューサから出力された受信信号群に対して、前記注目領域に照射された光量に基づく重み係数を用いた加重を行い、
前記複数のタイミングに対応する加重された複数の受信信号群に基づいて、前記注目領域における前記被検体情報を取得する
ことを特徴とする処理装置。
【請求項２】
前記複数のタイミングのそれぞれについて、加重された受信信号群に基づいて初期音圧を取得し、
前記複数のタイミングのそれぞれにおける前記注目領域に照射された前記光量に、当該光量に基づく加重を行って、前記複数のタイミングのそれぞれに対応する実質光量を算出し、
前記複数のタイミングのそれぞれについて、前記初期音圧と前記実質光量とに基づいて前記被検体情報を取得する
ことを特徴とする請求項１に記載の処理装置。
【請求項３】
前記複数のタイミングのそれぞれについて、前記受信信号群に対して、前記注目領域における光量自体を前記重み係数とした加重を行う
ことを特徴とする請求項１または２に記載の処理装置。
【請求項４】
前記複数のタイミングのそれぞれについて、前記受信信号群に対して、前記注目領域における光量が閾値よりも小さいときは前記重み係数を０として加重を行うことを特徴とする請求項１から３のいずれか１項に記載の処理装置。
【請求項５】
ユーザからの入力に基づいて前記被検体内の光照射領域に関する情報を取得し、前記被検体内の光照射領域に関する情報に基づいて前記注目領域における光量を取得する
ことを特徴とする請求項１から４のいずれか１項に記載の処理装置。
【請求項６】
前記被検体の光吸収特性および光散乱特性を用いた輸送方程式または拡散方程式により、前記注目領域における前記光量を取得する
ことを特徴とする請求項１から５のいずれか１項に記載の処理装置。
【請求項７】
請求項１から６のいずれか１項に記載の処理装置と、
前記被検体に前記光を照射する照射部と、
前記光が照射された前記被検体から発生する音響波を受信して受信信号群を出力する、前記複数のトランスデューサを備える探触子と、
前記複数のトランスデューサから出力された前記受信信号群を記憶する記憶部と、
を有する光音響装置であって、
前記照射部は、複数のタイミングで前記被検体の互いに異なる位置に前記光を照射し、
前記探触子は、前記被検体に対する前記光の照射ごとに前記音響波を受信し、前記複数のタイミングに対応する前記複数の受信信号群を出力し、
前記記憶部は、前記複数の受信信号群を記憶し、
前記処理装置は、前記記憶部に記憶された前記複数の受信信号群を処理する
ことを特徴とする光音響装置。
【請求項８】
前記探触子は、球面を有するように形成され、前記複数のトランスデューサは前記球面上に配置されることを特徴とする請求項７に記載の光音響装置。
【請求項９】
前記被検体情報を表示する表示部をさらに有する
ことを特徴とする請求項７または８に記載の光音響装置。
【請求項１０】
前記照射部は、光源と、前記光源からの光を前記被検体に導く光学系と、前記被検体に対して前記光学系を移動させる移動部と、を備える
ことを特徴とする請求項７から９のいずれか１項に記載の光音響装置。
【請求項１１】
前記移動部は、前記光学系と前記探触子との位置関係を保った状態で、前記被検体に対して前記光学系と前記探触子とを移動させる
ことを特徴とする請求項１０に記載の光音響装置。
【請求項１２】
複数のタイミングのそれぞれで被検体の互いに異なる位置に光が照射されることにより発生した音響波を受信して複数のトランスデューサから出力された前記複数のタイミングに対応する複数の受信信号群に基づいて、前記被検体内の注目領域における被検体情報を取得する処理方法であって、
前記複数のタイミングのそれぞれについて、前記注目領域に照射された光量を取得する工程と、
前記複数のタイミングのそれぞれについて、前記複数のトランスデューサから出力された受信信号群に対して、前記注目領域に照射された光量に基づく重み係数を用いた加重を行う工程と、
前記複数のタイミングに対応する加重された複数の受信信号群に基づいて、前記注目領域における前記被検体情報を取得する工程と、
を有することを特徴とする処理方法。
【請求項１３】
前記被検体情報を取得する工程は、
前記複数のタイミングのそれぞれについて、加重された受信信号群に基づいて初期音圧を取得する工程と、
前記複数のタイミングのそれぞれにおける前記注目領域に照射された前記光量に、当該光量に基づく加重を行って、前記複数のタイミングのそれぞれに対応する実質光量を算出し、
前記複数のタイミングのそれぞれについて、前記初期音圧と前記実質光量とに基づいて前記被検体情報を取得する工程と、
を含むことを特徴とする請求項１２に記載の処理方法。
【請求項１４】
前記重み係数を用いた加重を行う工程は、
前記複数のタイミングのそれぞれについて、前記受信信号群に対して、前記注目領域における光量自体を前記重み係数とした加重を行う工程を含む
ことを特徴とする請求項１２または１３に記載の処理方法。
【請求項１５】
前記重み係数を用いた加重を行う工程は、
前記複数のタイミングのそれぞれについて、前記受信信号群に対して、前記注目領域における光量が閾値よりも小さいときは前記重み係数を０として加重を行う工程を含む
ことを特徴とする請求項１２から１４のいずれか１項に記載の処理方法。
【請求項１６】
前記光量を取得する工程は、
ユーザからの入力に基づいて前記被検体内の光照射領域に関する情報を取得する工程と、
前記被検体内の光照射領域に関する情報に基づいて前記注目領域における光量を取得する工程と、
を含むことを特徴とする請求項１２から１５のいずれか１項に記載の処理方法。
【請求項１７】
前記光量を取得する工程は、
前記被検体の光吸収特性および光散乱特性を用いた輸送方程式または拡散方程式により、前記注目領域における前記光量を取得する工程を含む
ことを特徴とする請求項１２から１６のいずれか１項に記載の処理方法。
【請求項１８】
請求項１２から１７のいずれか１項に記載の処理方法を処理装置に実行させるプログラム。
【手続補正２】
【補正対象書類名】明細書
【補正対象項目名】発明の名称
【補正方法】変更
【補正の内容】
【発明の名称】処理装置、光音響装置、処理方法、およびプログラム
【手続補正３】
【補正対象書類名】明細書
【補正対象項目名】００１０
【補正方法】変更
【補正の内容】
【００１０】
本発明の一態様は、以下の構成を採用する。すなわち、本発明の一態様に係る処理装置は、複数のタイミングのそれぞれで被検体の互いに異なる位置に光が照射されることにより発生した音響波を受信して複数のトランスデューサから出力された前記複数のタイミングに対応する複数の受信信号群に基づいて、前記被検体内の注目領域における被検体情報を取得する処理装置であって、前記複数のタイミングのそれぞれについて、前記注目領域に照射された光量を取得し、前記複数のタイミングのそれぞれについて、前記複数のトランスデューサから出力された受信信号群に対して、前記注目領域に照射された光量に基づく重み係数を用いた加重を行い、前記複数のタイミングに対応する加重された複数の受信信号群に基づいて、前記注目領域における前記被検体情報を取得することを特徴とする。